【事件の表示】
　平成　９年特許願第１５６０７２号「棺」拒絶査定に対する審判事件〔平成１０年１２月１５日出願公開、特開平１０−３２８２５４、請求項の数（２）〕について、次のとおり審決する。
【結　論】
　原査定を取り消す。
　本願の発明は、特許すべきものとする。
【理　由】
１．手続きの経緯・本願発明
　本願は、平成９年５月３０日の出願であって、その請求項１、２に係る発明は、平成１２年７月２７日付け手続補正によって補正された明細書及び図面の記載からみて、その特許請求の範囲の請求項１、２に記載された次のとおりのものである。
「【請求項１】側板，底板及び蓋を有する棺本体を備え、その棺本体の少くとも側板及び蓋を透明体で形成すると共に側板の少くとも一方を開閉可能に形成し、該棺本体内に収容可能に遺体を支持するトレーを設け、この棺本体とトレーの間に摩擦軽減体を設け、該トレーを木や籐，蔦，蔓，竹等の植物繊維質材で形成し、火葬の際に上記棺本体より遺体を載置したトレーを出しそのトレーを遺体と共に焼却するようにしたことを特徴とする棺
【請求項２】上記摩擦軽減体をボールとした請求項１記載の棺。」
　
２．引用刊行物記載の発明
（１）これに対し、原査定の理由において引用された特開平８−１９１８６９号公報（以下、「引用例１」という。）には、次の事項が記載されている。
「図１〜図５に示すように、化粧棺桶は、蓋体１Ａ，１Ｂ、側板２，３，４，５、及び底板６からなる箱状のもので、白木等で製造された通常の火葬用棺桶（図示せず）を収容して使用する。火葬用棺桶の収容及び搬出が容易にできるように、また収容した火葬用棺桶の蓋体や開閉扉を上方から操作できるように、二分割した蓋体１Ａ，１Ｂを側板５に蝶番１０により回動自在に取り付けるとともに、蓋体１Ａ，１Ｂの回動を制限するためにチェーン等の係止手段９を設ける。また、正面の側板２を隣接する側板３，４とは磁石等の取り外し可能な固定手段１１により、底板６とは底板６に設けた溝１３に側板２の縁を嵌合することにより容易に分離可能に固定する。」（公報【０００５】欄）
「火葬用棺桶の収容及び搬出が容易にできるように、底板６上に摺動板７を摺動自在に設ける。摺動板７と底板６に突設した桟１２間には、摺動板７の摺動を円滑にできるように、すべりガイド、ころがりガイド等のスライド手段を介在することが望ましい。また、摺動板７の前面には取手１４を設ける。なお、摺動板は側板の開放する方向に応じて摺動できるように、具体的には、側面の側板３，４を開放する場合には、図示の摺動板７の摺動方向と直角方向に摺動板を摺動できるようにする。」（公報【０００７】欄）
「火葬用棺桶を搬出する際は、蓋体１Ａ，１Ｂ及び側板２を開放した後、摺動板７とともに火葬用棺桶を摺動させることにより又はローラコンベア８上を火葬用棺桶を摺動させることにより、火葬用棺桶を化粧用棺桶から引き出し搬出する。なお、化粧用棺桶自体はこのようにして何度も使用可能である。」（公報【００１０】欄）
　
（２）同様に引用された登録実用新案第３０２７８４５号公報（以下、「引用例２」という。）には、次の事項が記載されている。
「柩の上部の蓋を透明な物質で作ることにより、中の遺体が外部より見る事が出来るようにする。」（引用例【請求項１】欄）
「火葬が一般的な現状から、透明蓋の材質は可燃性のものを必要としアクリル樹脂等が適当と考える。」（引用例【０００４】欄）
「１は上部蓋を全部透明にして遺体全身をみえるようにする。２は蓋の一部分を透明にし遺体上半身をみえるようにする。」（引用例【０００６】欄）
　
（３）同様に引用された実願昭５８−１６２３０９号（実開昭６０−６９１２７号）のマイクロフィルム（以下、「引用例３」という。）には、次の事項が記載されている。
「第１図及び第２図に示す一実施例において、本考案の木棺（１）は、本体（２）と、該本体（２）内に嵌合される畳（３）と、本体（２）を上方から閉塞する上蓋（１２）とからなる。前記本体（２）は、死者の身長と略同長の木製横長直方体に形成されており、本体（２）内の底部（２ａ）に畳（３）が上方から敷設嵌合されている。畳（３）は畳床（４）と、該畳床（４）に敷設されるい草の畳表（５）と、該畳表（５）の略周縁を覆う縁布（６）とからなり。全てが植物性繊維で構成されており、縁布（６）に限り化学繊維製のものでも良い。」（引用例第２頁第９乃至１８行）
「本考案は木製棺内の底部に畳が敷設嵌合されているので、遺族が死者の霊を慰め又は弔いたいという願望を満たすことができる。また木棺を火葬する際、特に本考案は畳の構成部材の大部分が植物性繊維であるから有毒なガスが発生せず、従って火葬設備が早期に腐蝕することもなく又樹脂の炭化物が遺骨に付着して遺骨が汚れることもない。」（引用例第３頁第１８行乃至第４頁第４行）　
　
（４）同様に引用された登録実用新案第３０３５８４９号公報（以下、「引用例４」という。）には、次の事項が記載されている。
「本考案は火葬場で焼却される畳入り柩に関する。」（引用例【０００１】欄）
「（１）は木製の柩本体であり、（２）は柩本体（１）の内部に敷かれた畳である。該畳（２）は、木屑を固めた燃え易い畳ボードである芯材（21）と、該芯材（21）の表面或いは両面を被覆するい草の畳表（22）と、前記芯材（21）の周囲で且つ前記畳表（22）の上から装着させた紋縁（23）とから成る（図２，図３参照）。また前記畳（２）の厚さは13mm前後の厚さが最適であり、且つ前記畳表（22）に絵柄或いは模様のい草を張っても良く、更に畳（２）の紋縁（23）を四方紋縁にすると良い。尚、前記畳（２）の大きさは柩本体（１）のサイズに合わせて大人用，子供用，幼児用などの数種類が用意されている。又、前記芯材（21）の材料は木屑に限定されるものではない。（３）は布団である。（引用例【０００６】欄）
　
３．対比・判断
（１）請求項１に係る発明（以下、「本件発明１」という。）について
　本件発明１と、該発明と最も一致点が多いと判断できる上記引用例１に記載された発明（以下、「引用発明１」という。）とを対比すると、引用発明１の「化粧棺桶」、「蓋体」、「スライド手段」は、本件発明１の「棺本体」、「蓋」、「摩擦軽減体」に相当する。さらに引用発明１の「火葬用棺桶」も、本件発明１の「遺体を支持するトレー」同様、その物自体を「遺体と共に焼却するようにした」部材という点では共通する。したがって、両者は、「側板，底板及び蓋を有する棺本体を備え、該棺本体内に収容可能に遺体を支持する部材を設け、この棺本体と部材の間に摩擦軽減体を設け、火葬の際に上記棺本体より遺体を載置した部材を出しその部材を遺体と共に焼却するようにしたことを特徴とする棺」である点で一致するが、
（１）本件発明１では、「棺本体の少くとも側板及び蓋を透明体で形成」したのに対し、引用発明１では、かかる構成を具備していない点、
（２）本件発明１では、「側板の少くとも一方を開閉可能に形成」したのに対し、引用発明１では「側板」を分離可能に固定した点、
（３）本件発明１では、遺体を支持する部材として、「トレー」を採用しているのに対し、引用発明１では、「棺桶」としている点、
（４）本件発明１では、部材を「木や籐，蔦，蔓，竹等の植物繊維質材で形成」したのに対し、引用発明１は、かかる構成を具備していない点、でそれぞれ相違している。
　上記相違点（１）については、引用例２に記載されている。
　上記相違点（２）について、側板を「開閉可能に形成」するか、「分離可能に固定」するかは、内容物を搬出する際の便宜を考慮して、当事者が適宜選択しうる単なる設計的な事項にすぎない。
　上記相違点（４）については、引用例３および４において、遺体を支持する底部に、植物繊維質材である、畳を敷設した点が記載されている。
　しかしながら、上記相違点（３）について、棺桶の中に「遺体と共に焼却するようにした」「トレー」を設ける点は、いずれの引用例にも記載されておらず、しかも、引用発明１に具備している「火葬用棺桶」を「トレー」と置き換えることは、当業者であっても容易ではないものと認める。けだし、空間的に閉鎖された「棺桶」とは異なり上面が開放された「トレー」を採用することによって、上記相違点（１）の、蓋等を透明にする構成と相俟って、「トレーを遺体と共に焼却炉内に入れて火葬することができる」（【００２３】欄）、および「棺本体の少くとも側板及び蓋を透明に形成しているので、棺本体内に収められた故人の姿を棺外から透視することができ、特にお別れの際には棺を囲んだ人達から万遍なく見ることができて別れを惜しむのに好適である」（【００２３】欄）」との相乗的な効果を奏するものであって、この効果は、引用例１乃至４から当業者であっても想到することはできない。
　したがって、請求項１に係る本願発明は、上記引用例１乃至４に記載の発明から当業者が容易に発明をすることができたものとすることができない。
　
（２）請求項２に係る発明（以下、「本件発明２」という。）について
　本件発明２は、請求項１を引用して技術的に限定した発明と認められるところ、本件発明１についての判断は、上記（１）のとおりであるから、本件発明２は、引用例１乃至４に記載の発明から当業者が容易に発明をすることができたものとは認めることができない。
　
　以上のとおり、請求項１乃至２に係る本願発明は、上記引用例１乃至４に記載の発明から当業者が容易に発明をすることができない。
　
４．むすび
　以上、本願については、原査定の拒絶理由を検討してもその理由によって拒絶すべきものとすることができない。
　また、他に本願を拒絶すべき理由を発見しない。
　
　よって、結論のとおり審決する。